(57)【要約】      （修正有）【課題】使用時にある領域にふりかけられる分散可能な物質を、容易に充填及び封止し、使用時には物質を分散させ、収納時には直立させることができる袋構造を提供する。【解決手段】分散可能な物質が充填される袋構造。袋構造は、第１および第２のパネル部分と、第１および第２のサイドガセット部分と、底ガセットパネル部分とを有する。各パネル部分は互いに固着され、平底を有する概ね角胴形の形状を形成する。底ガセットパネル部分は、１つまたは複数の散布用開口を有する。１つまたは複数の開口を覆うために、着脱可能なパネル層が設けられる。着脱可能なパネル層を取り外すと、分散可能な物質が適宜開口を通って分散する。【選択図】図３
0003159676.tif 000002
【実用新案登録請求の範囲】
【請求項１】
分散可能な物質を分散させるための袋構造であって、
パネル下縁およびパネル側縁を各々が有する第１および第２のパネル部分と、
ガセット下縁およびガセット側縁を各々が有する第１および第２のサイドガセットパネル部分であって、前記第１および第２のパネル部分の各々の前記パネル側縁の一方が該第１および第２のサイドガセットパネル部分の各々の前記ガセット側縁の一方に固着された第１および第２のサイドガセットパネル部分と、
縁を有する底ガセットパネル部分であって、前記第１および第２のパネル部分の前記パネル下縁ならびに前記第１および第２のサイドガセットパネル部分の前記ガセット下縁の各々が、該底ガセットパネル部分の前記縁のうちの異なる１つの縁に固着されて内面および外面を形成し、該底ガセットパネル部分は少なくとも１つの散布用開口を有する底ガセットパネル部分と、
前記底ガセットパネル部分の外面に着脱可能に固着された、前記開口を覆う着脱可能なパネル層とを含み、
前記着脱可能なパネル層が所定の位置に固着されているときは、前記開口は前記分散可能な物質の分散を防止するために覆われており、前記着脱可能なパネル層が前記底ガセットパネル部分から取り外されているときは、前記開口を通して前記分散可能な物質が分散され得る袋構造。
【請求項２】
最初の位置において前記第１および第２のパネル部分と前記第１および第２の前記ガセットパネル部分と前記底ガセットパネル部分とのうちの１つに着脱可能に固着されたテープ部分を含み、
前記着脱可能なパネル層が取り外されて前記分散可能な物質のいくらかが分散された場合に、前記底ガセットパネルを前記縁のうちの１つの縁から前記縁のうちの対向する縁へ向けて折り畳むかまたは巻くことができ、前記テープ部分を前記最初の位置から取り外して、前記第１および第２のパネル部分の一方を前記底ガセットパネル部分かまたは前記第１および第２のパネル部分の他方かのいずれかの一部に固着することができる請求項１に記載の袋構造。
【請求項３】
分散可能な物質を分散させるための袋構造であって、
パネル下縁およびパネル側縁を各々が有する第１および第２のパネル部分と、
ガセット下縁およびガセット側縁を各々が有する第１および第２のサイドガセットパネル部分であって、前記第１および第２のパネル部分の各々の前記パネル側縁の一方が該第１および第２のサイドガセットパネル部分の各々の前記ガセット側縁の一方に固着された第１および第２のサイドガセットパネル部分と、
縁を有する底ガセットパネル部分であって、前記第１および第２のパネル部分の前記パネル下縁ならびに前記第１および第２のサイドガセットパネル部分の前記ガセット下縁の各々が、該底ガセットパネル部分の前記縁のうちの異なる１つの縁に固着されて内面および外面を形成し、該底ガセットパネル部分は少なくとも１つの散布用開口を有する底ガセットパネル部分と、
前記底ガセットパネル部分の外面に固着された、前記開口を着脱可能に覆うための手段とを含み、
前記覆い手段が所定の位置で固着されているときは、前記開口は前記分散可能な物質の分散を防止するために覆われており、前記覆い手段が前記開口を覆わないようにされているときは、前記開口を通して前記分散可能な物質が分散され得る袋構造。
【請求項４】
前記第１および第２のパネル部分の一方を前記底ガセットパネル部分かまたは前記第１および第２のパネル部分の他方かのいずれかの一部に固着し合わせるための手段を含み、
前記分散可能な物質のいくらかが分散された場合、前記底ガセットパネルを前記縁のうちの１つの縁から前記縁のうちの対向する縁へ向けて折り畳むかまたは巻いて前記開口を覆うことができ、前記固着手段を用いて前記第１および第２のパネル部分の一方を前記底ガセットパネル部分かまたは前記第１および第２のパネル部分の他方かのいずれかの一部に固着することができる請求項３に記載の袋構造。
【請求項５】
分散可能な物質を分散させることを可能にする袋構造を使用するための方法であって、前記袋構造は、パネル下縁およびパネル側縁を各々が有する第１および第２のパネル部分と、ガセット下縁およびガセット側縁を各々が有する第１および第２のサイドガセットパネル部分であって、前記第１および第２のパネル部分の各々の前記パネル側縁の一方が該第１および第２のサイドガセットパネル部分の各々の前記ガセット側縁の一方に固着された第１および第２のサイドガセットパネル部分と、縁を有する底ガセットパネル部分であって、前記第１および第２のパネル部分の前記パネル下縁ならびに前記第１および第２のサイドガセットパネル部分の前記ガセット下縁の各々が該底ガセットパネル部分の前記縁のうちの異なる１つの縁に固着されて内面および外面を形成し、該底ガセットパネル部分は少なくとも１つの散布用開口を有する底ガセットパネル部分と、前記底ガセットパネル部分の外面に固着された、前記開口を着脱可能に覆うための手段とを含み、
該方法が、
前記覆い手段を、前記開口を覆わないようにすることと、
前記開口を通して前記分散可能な物質の少なくともいくらかを分散させることとを含む方法。
【請求項６】
前記袋構造が、前記第１および第２のパネル部分の一方を前記底ガセットパネル部分かまたは前記第１および第２のパネル部分の他方かのいずれかの一部に固着し合わせるための手段をさらに含み、
前記分散工程に続いて、前記開口を覆うために、前記底ガセットパネルを前記縁のうちの１つの縁から前記縁のうちの対向する縁へ向けて折り畳むかまたは巻くことと、
前記固着手段を用いて前記第１および第２のパネル部分の一方を前記底ガセットパネル部分かまたは前記第１および第２のパネル部分の他方かのいずれかの一部に固着することとをさらに含む請求項５に記載の方法。
【考案の詳細な説明】
【技術分野】
【０００１】
本考案は、袋またはパウチ構造に関する。特に、本考案は、分散可能な物質を充填するための袋であって、開口が設けられた平底と、使用時まで当該開口を閉鎖する着脱可能な層とを有する袋に関する。
【背景技術】
【０００２】
多種多様な物品が、使用時にある領域に亘って分散つまり振りかけられる物質を含んでいる。これらの物品の多くは、乾燥粉末または微粒子状物質を含んでいる。本明細書において「分散可能な物質」という用語は、少なくとも、ペレット、粒状物、粉末およびそれらの任意の組み合わせを含むものとする。これらの例としては、限定されるものではないが、着氷塩、種子、殺虫剤、チョーク等がある。
【考案の概要】
【考案が解決しようとする課題】
【０００３】
微粒子状物質を振りかけるためのいくつかの改良された構成が、例えば米国特許第５，８８２，１２０号および第５，７０９，４７９号に開示されている。しかしながら、これらの構成には、本考案が関連する特定の使用に関していくつかの問題がある。
【０００４】
従来技術の袋構成は、底部が、袋を直立可能にするようになっていない設計のため、収納および配置を行いにくい。製品を収納するため、また、販売場所で陳列するために直立する収納袋が望ましい。その理由は、このような袋構成により、卸売業者および小売商にとって収納および積み重ね方法がより容易になるからである。
【０００５】
そのうえ、従来技術の袋構成は、側部および底部に沿った膨張性が限られているため、充填が容易ではない。このため、袋に充填される物質の体積および量が少ない。また、従来技術の袋構成の突条と溝とによる閉鎖システムは、製造コストが高く、かつ、袋を直立可能にする底部構成に抵触する。さらに、しばしば、微粒子状物質が閉鎖システムの溝部に入り込んで取れなくなる。望ましくないことに、このことにより、袋内の微粒子状物質の漏れおよび／または汚染につながる可能性がある良好な封止の不足が生じ得る。
【０００６】
したがって、所望の場合には分散性も可能にすると同時に、簡単でありながら袋を直立可能にする改良が求められている。
【課題を解決するための手段】
【０００７】
本考案の袋構造は、分散可能な物質を分散させるための袋またはパウチに関する。袋は、第１および第２のパネル部分と、第１および第２のサイドガセットパネル部分と、底ガセットパネル部分とを有する。各パネル部分は互いに固着され、平底を有する概ね角胴形の形状を形成する。底ガセットパネル部分は、１つまたは複数の散布用開口を有する。当該１つまたは複数の開口を覆うために、着脱可能なパネル層が設けられる。着脱可能なパネル層は、底ガセットパネル部分の外面に着脱可能に固着される。
【０００８】
本考案の袋構造の使用時においては、１つまたは複数の開口を覆う着脱可能なパネル層を取り外して１つまたは複数の開口を露出させる。そのようにして、１つまたは複数の開口を通して、分散可能な物質を分散させることができる。
【０００９】
さらなる実施形態においては、テープ部分等の固着機構が設けられ、分散可能な物質のいくらかが袋から取り出されるように分散が行われる袋構造使用後に、開口が覆われるように、底ガセットパネルがその縁のうちの１つの縁から対向する縁へ向けて折り畳まれるかまたは巻かれるようになされている。テープ部分等の固着機構は、パネル部分の一方を底ガセットパネル部分かまたはパネル部分の他方かのいずれかに固着するために用いられる。
【００１０】
このようにして、直立させて陳列することと、分散できるように底ガセット部分の開口を容易に露出させることと、さらなる実施形態においては、分散可能な物質をさらに収納してまた使うことができるように１つまたは複数の開口を覆うための機構とを可能にする簡単かつ効率的な袋構造が形成される。
【図面の簡単な説明】
【００１１】
【図１】本考案による袋構造の斜視図
【図２】本考案における上部が開放され、分散可能な物質を袋に充填中の袋上部の斜視図
【図３】本考案における着脱可能なパネル層が部分的に取り外された様子を示す袋底部の斜視図
【図４】本考案における着脱可能なパネル層が取り外され、分散可能な物質を分散中の袋底部の方を見た斜視図
【図５】本考案におけるテープ部分を備えた袋構造を示す斜視図
【図６】本考案における底ガセットパネル部分が折り畳まれかつテープ部分を用いて折り畳み状態が維持されている、分散可能な物質が一部排出された袋を示す斜視図
【図７】本考案における着脱可能なパネル層を備えた袋構造の別の実施形態を示す袋底部の斜視図
【図８Ａ】本考案における着脱可能なパネル層が折り返された様子を示す図６の実施形態の斜視図
【図８Ｂ】本考案における着脱可能なパネルが底ガセットパネル層部分を折り畳み状態に保持する様子を示す図６の実施形態の斜視図
【考案を実施するための形態】
【００１２】
以下、本考案を図面に基づいて説明する。いくつかの図および実施形態を通じて、同一または同様の部分は同一の参照符号を用いて示す。本考案による袋構造を参照符号１０として図示する。図１〜図４を参照すると、袋構造１０は、第１および第２の互いに対向する側壁パネル部分１４、１６を含む。構造１０は、第１および第２の互いに対向したサイドガセットパネル部分１８、２０も含む。さらに、袋構造１０は、底ガセットパネル部分２２を有する。
【００１３】
第１および第２のパネル部分１４、１６は、各々、下縁２４および上縁２６と、互いに対向する側縁２８、３０とを有する。同様に、第１および第２のサイドガセットパネル部分１８、２０は、各々、下縁３２および上縁３４と、互いに対向する側縁３６、３８とを有する。底ガセットパネル部分は、第１および第２のパネル部分の縁と出合う互いに対向する縁４０、４２と、第１および第２のサイドガセットパネル部分１８、２０の縁と合わさる互いに対向する縁４４、４６とを有する。
【００１４】
第１および第２のパネル部分１４、１６の各々のパネル側縁の一方は、第１および第２のガセット部分１８、２０の各々のガセット側縁の一方に固着される。第１および第２のパネル部分１４、１６のパネル下縁ならびに第１および第２のサイドガセットパネル部分１８、２０のガセット下縁の各々は、底ガセットパネル部分２２の縁のうちの異なる１つの縁に固着され、底ガセットパネル部分２２の内面５０および外面５２が形成される。
【００１５】
縁が相互に固着される領域においては、固着機構がヒートシールを含むことが好ましい。封止は、この点で、参照により本明細書に組み込まれる米国特許第５，０５９，０３６号、米国特許第５，１４７，２７２号および米国特許第５，２５４，０７３号に例示されているもの等の従来のものと変わりがない。
【００１６】
図を再度参照すると、袋構造１０は、充填後に上端が閉鎖されており、そして、上側フラップ５４を含んでいる。上側フラップ５４には把手用開口５６が設けられている。フラップ５４が形成される前に、分散可能な物質１２が袋１０に充填される（図２に示す。）。一旦充填が済むと、第１および第２のサイドガセットパネル部分１８、２０が、第１および第２のパネル部分１４、１６の上端部間に適切に折り込まれる。フラップ５４を形成するためにヒートシールが適切に施される。すなわち、ヒートシールは、側縁５８、６０と、開口５６を挟んで上縁２６と略等しい距離にある上位置６４とにおいて施される。
【００１７】
特に図３および図４に示すように、底ガセットパネル部分２２には、散布用開口６６によって例示するように、孔が開けられている。開口６６は適切な寸法にされており、分散可能な物質１２を望ましいように通過させるために単位面積あたりの開口の数が選択されている。開口６６は円形のものとして図示されているが、その他の形状も可能である。開口の大きさおよび形状は、袋１０に充填され適切に分散されることになる分散可能な物質１２の種類および特性に合わせた寸法にされることが好ましい。
【００１８】
着脱可能なパネル層６８が、底ガセットパネル部分２２の外面５２に貼付される。パネル層６８は、開口６６を覆い、分散可能な物質１２の分散が望まれる前に分散可能な物質１２が袋１０から漏れるのを防止する。
【００１９】
袋構造１０の製造中に、幅約０．３７５インチの剥離可能な接着材を底ガセットパネル部分２２の外面５２に適宜施し、そこにパネル層６８を貼付する。あるいは、接着材はパネル層６８に施してもよい、適切な剥離可能な接着材としては、 があり、 から得ることができる。
【００２０】
図５〜図６の実施形態において、袋構造１０は、第１および第２のパネル部分１４、１６のうちの一方か、第１および第２のガセットパネル部分１８、２０のうちの一方かまたは底ガセットパネル部分２２に着脱可能に固着されたテープ部分７０をさらに含む。図５および図６において、当該部分７０は、第１のパネル部分１４に着脱可能に固着されているものとして示されている。
【００２１】
本考案によるパウチ構成は、用途に応じて様々な外形寸法で提供され得る。
【００２２】
本考案によるパウチ構造は、種々の材料で製造し得る。しかしながら、ポリエステル・二軸配向ナイロン・鎖状低密度ポリエチレン（ＰＥＴ／ＢＯＮ／ＬＬＤＰＥ）フィルム等の比較的薄く強度が高い材料で構成することが特に有利である。特に有用でありかつ本考案による利点を有する好適な実施形態は、第１および第２のパネル部分１４、１６と第１および第２のガセットパネル部分１８、２０とが、ＰＥＴ／ＢＯＮ／ＬＬＤＰＥの３プライからなる、厚さが約７ミリの範囲内の第１および第２のシートを含む構成であり得る。同様の材料を基部ガセット（適切な開口またはスリットが設けられた）に利用し得る。各パネル部分を相互に固定しかつ底ガセット部分を所定の位置に固定するための手段が、さらなる接着材を必要とすることなくヒートシールによって実現されるように、ヒートシール可能なフィルムを利用することが好ましい。
【００２３】
フィルム材料は、３つの基材の形態で入手可能であり、従来の接着積層方法で貼り合わされる。ポリエステル基材に接着材を施した後、ナイロン基材を施す。ポリエステル基材とナイロン基材とを貼り合わせる。この結果得られた層を鎖状低密度ポリエチレン基材で被覆し、貼り合わせる。
【００２４】
第１の基材（ポリエステル）は、デュポン（ＤｕＰｏｎｔ）社から入手可能である。第２の基材（二軸配向ナイロン）は、アライドシグナル（Ａｌｌｉｅｄ  Ｓｉｇｎａｌ）社から入手可能である。第３の基材（鎖状低密度ポリエチレン）は、ウィスコンシン（ＷＩ）州チペワフォールズ（Ｃｈｉｐｐｅｗａ  Ｆａｌｌｓ）のコンソリデーテッドサーモプラスチックス（Ｃｏｎｓｏｌｉｄａｔｅｄ  Ｔｈｅｒｍｏｐｌａｓｔｉｃｓ）社から入手可能である。
【００２５】
使用時には、袋１０の上部を開放し、分散可能な物質１２を図２に示すように袋内へと入れる。その後、第１および第２のガセットパネル部分１８、２０を上部近傍で折り込み、第１および第２のパネル部分１４、１６を１つに合わせ、前述のような適切なヒートシールを行って図１に示すようなフロップ５４を形成する。必要に応じて、宣伝または販売促進材料を袋に適用するかまたは関連付けることができる。袋はその後陳列され、やがては消費者に売られる。
【００２６】
分散可能な物質１２を分散させることが望まれる場合は、着脱可能なパネル６８を取り外す。袋１０の把手用開口５６を持ち、分散させることが望まれる領域に亘って適切に動かす。
【００２７】
十分に分散させたら、袋を上下逆さまにひっくり返し、全ての開口が覆われるように、底ガセットパネル部分２２をその縁のうちの１つの縁から対向する縁へ向けて折り畳むかまたは巻く。テープ部分７０を第１のパネル部分１４から取り外す。その後、図５に示すように、テープ部分７０を、第１および第２のパネル部分１４、１６の一方と、底ガセットパネル部分２２かまたは第１および第２のパネル部分１４、１６の他方かのいずれかの一部とに固着する。
【００２８】
第２の実施形態を図６および図７に示す。袋構造１００は、着脱可能なパネル層１０２を除いては袋構造１０と本質的に同じである。図３に示すように、着脱可能なパネル層６８は、分散前に完全に取り外すことができるように、４つの縁の全てにおいて剥離可能な接着材で貼付される。着脱可能なパネル層１０２は、１つの縁１０４においてヒートシール等の永久的な取付けによって貼付される。残りの縁１０６、１０８、１１０の貼付は、剥離可能な接着材による。
【００２９】
使用時に、分散可能な物質１２を分散させることが望まれる場合は、パネル層１０２を、接着材で保持された縁１０６、１０８、１１０において底ガセットパネル部分２２から引き離し、縁１０４におけるヒートシール部の周りに折り畳む。図８Ａに示すように、分散可能な物質の分散中に曲げたパネル１０２が邪魔にならないように、パネル層１０２を例えば第２のパネル部分１１４に一時的に貼付し得る。
【００３０】
いくらか分散させ終えた後であるが、まだいくらかの分散可能な物質１２が袋１００に残っている場合は、底ガセットパネル部分２２を折り畳むと共に、パネル層１０２を、底ガセットパネル部分２２を越えて、パネル層１０２のヒートシール部を有する縁１０４の反対側に伸ばすことができるので、図８Ｂに示すように、縁１０８は第１のパネル部分１１６に当接および付着することができる。
【００３１】
本考案による一般的な技術を用いたタイプの袋構造の製造方法は、米国特許第５，０５９，０３６号、米国特許第５，１４７，２７２号、米国特許第５，２５４，０７３号に記載および図示されており、これらの全てを援用により本明細書に組み込む。これらの方法は、本明細書に開示されているような、着脱可能なパネル層を底ガセットパネル部分に貼付する剥離可能な接着材およびヒートシールの適用や、そうでなければ着脱可能なパネル層の使用への適応を可能にするために、有効に修正される。
【００３２】
なお、日本国京都のトタニ技研工業株式会社が、本考案による袋の製造に利用可能な機械を製造している。
【００３３】
好適な実施形態について説明した。当業者には、均等物の全範囲を含む、請求および開示された本考案の範囲から逸脱することなく種々の修正および置換が可能であることが理解されよう。
【図１】
0003159676.tif 000003
【図２】
0003159676.tif 000004
【図３】
0003159676.tif 000005
【図４】
0003159676.tif 000006
【図５】
0003159676.tif 000007
【図６】
0003159676.tif 000008
【図７】
0003159676.tif 000009
【図８Ａ】
0003159676.tif 000010
【図８Ｂ】
0003159676.tif 000011
【手続補正書】
【提出日】平成21年12月22日(2009.12.22)
【手続補正１】
【補正対象書類名】実用新案登録請求の範囲
【補正対象項目名】全文
【補正方法】変更
【補正の内容】
【実用新案登録請求の範囲】
【請求項１】
分散可能な物質を分散させるための袋構造であって、
パネル下縁およびパネル側縁を各々が有する第１および第２のパネル部分と、
ガセット下縁およびガセット側縁を各々が有する第１および第２のサイドガセットパネル部分であって、前記第１および第２のパネル部分の各々の前記パネル側縁の一方が該第１および第２のサイドガセットパネル部分の各々の前記ガセット側縁の一方に固着された第１および第２のサイドガセットパネル部分と、
縁を有する底ガセットパネル部分であって、前記第１および第２のパネル部分の前記パネル下縁ならびに前記第１および第２のサイドガセットパネル部分の前記ガセット下縁の各々が、該底ガセットパネル部分の前記縁のうちの異なる１つの縁に固着されて内面および外面を形成し、該底ガセットパネル部分は少なくとも１つの散布用開口を有する底ガセットパネル部分と、
前記底ガセットパネル部分の外面に着脱可能に固着された、前記開口を覆う着脱可能なパネル層とを含み、
前記着脱可能なパネル層が所定の位置に固着されているときは、前記開口は前記分散可能な物質の分散を防止するために覆われており、前記着脱可能なパネル層が前記底ガセットパネル部分から取り外されているときは、前記開口を通して前記分散可能な物質が分散され得る袋構造。
【請求項２】
最初の位置において前記第１および第２のパネル部分と前記第１および第２のサイドガセットパネル部分と前記底ガセットパネル部分とのうちの１つに着脱可能に固着されたテープ部分を含み、
前記着脱可能なパネル層が取り外されて前記分散可能な物質のいくらかが分散された場合に、前記底ガセットパネル部分を前記縁のうちの１つの縁から前記縁のうちの対向する縁へ向けて折り畳むかまたは巻くことができ、前記テープ部分を前記最初の位置から取り外して、前記第１および第２のパネル部分の一方を前記底ガセットパネル部分かまたは前記第１および第２のパネル部分の他方かのいずれかの一部に固着することができる請求項１に記載の袋構造。
【請求項３】
分散可能な物質を分散させるための袋構造であって、
パネル下縁およびパネル側縁を各々が有する第１および第２のパネル部分と、
ガセット下縁およびガセット側縁を各々が有する第１および第２のサイドガセットパネル部分であって、前記第１および第２のパネル部分の各々の前記パネル側縁の一方が該第１および第２のサイドガセットパネル部分の各々の前記ガセット側縁の一方に固着された第１および第２のサイドガセットパネル部分と、
縁を有する底ガセットパネル部分であって、前記第１および第２のパネル部分の前記パネル下縁ならびに前記第１および第２のサイドガセットパネル部分の前記ガセット下縁の各々が、該底ガセットパネル部分の前記縁のうちの異なる１つの縁に固着されて内面および外面を形成し、該底ガセットパネル部分は少なくとも１つの散布用開口を有する底ガセットパネル部分と、
前記底ガセットパネル部分の外面に固着された、前記開口を着脱可能に覆うための手段とを含み、
前記覆い手段が所定の位置で固着されているときは、前記開口は前記分散可能な物質の分散を防止するために覆われており、前記覆い手段が前記開口を覆わないようにされているときは、前記開口を通して前記分散可能な物質が分散され得る袋構造。
【請求項４】
前記第１および第２のパネル部分の一方を前記底ガセットパネル部分かまたは前記第１および第２のパネル部分の他方かのいずれかの一部に固着し合わせるための手段を含み、
前記分散可能な物質のいくらかが分散された場合、前記底ガセットパネル部分を前記縁のうちの１つの縁から前記縁のうちの対向する縁へ向けて折り畳むかまたは巻いて前記開口を覆うことができ、前記固着手段を用いて前記第１および第２のパネル部分の一方を前記底ガセットパネル部分かまたは前記第１および第２のパネル部分の他方かのいずれかの一部に固着することができる請求項３に記載の袋構造。
【手続補正２】
【補正対象書類名】明細書
【補正対象項目名】０００２
【補正方法】変更
【補正の内容】
【０００２】
多種多様な物品が、使用時にある領域に亘って分散つまり振りかけられる物質を含んでいる。これらの物品の多くは、乾燥粉末または微粒子状物質を含んでいる。本明細書において「分散可能な物質」という用語は、少なくとも、ペレット、粒状物、粉末およびそれらの任意の組み合わせを含むものとする。これらの例としては、限定されるものではないが、着氷除去塩、種子、殺虫剤、チョーク等がある。
【手続補正３】
【補正対象書類名】明細書
【補正対象項目名】００１１
【補正方法】変更
【補正の内容】
【００１１】
【図１】本考案による袋構造の斜視図
【図２】本考案における上部が開放され、分散可能な物質を袋に充填中の袋上部の斜視図
【図３】本考案における着脱可能なパネル層が部分的に取り外された様子を示す袋底部の斜視図
【図４】本考案における着脱可能なパネル層が取り外され、分散可能な物質を分散中の袋底部の方を見た斜視図
【図５】本考案におけるテープ部分を備えた袋構造を示す斜視図
【図６】本考案における底ガセットパネル部分が折り畳まれかつテープ部分を用いて折り畳み状態が維持されている、分散可能な物質が一部排出された袋を示す斜視図
【図７】本考案における着脱可能なパネル層を備えた袋構造の別の実施形態を示す袋底部の斜視図
【図８Ａ】本考案における着脱可能なパネル層が折り返された様子を示す図６の実施形態の斜視図
【図８Ｂ】本考案における着脱可能なパネル層が底ガセットパネル部分を折り畳み状態に保持する様子を示す図６の実施形態の斜視図
【手続補正４】
【補正対象書類名】明細書
【補正対象項目名】００１３
【補正方法】変更
【補正の内容】
【００１３】
第１および第２のパネル部分１４、１６は、各々、下縁２４および上縁２６と、互いに対向する側縁２８、３０とを有する。同様に、第１および第２のサイドガセットパネル部分１８、２０は、各々、下縁３２および上縁３４と、互いに対向する側縁３６、３８とを有する。底ガセットパネル部分は、第１および第２のパネル部分の縁と合わさる互いに対向する縁４０、４２と、第１および第２のサイドガセットパネル部分１８、２０の縁と合わさる互いに対向する縁４４、４６とを有する。
【手続補正５】
【補正対象書類名】明細書
【補正対象項目名】００１６
【補正方法】変更
【補正の内容】
【００１６】
図を再度参照すると、袋構造１０は、充填後に上端が閉鎖されており、そして、上側フラップ５４を含んでいる。上側フラップ５４には把手用開口５６が設けられている。フラップ５４が形成される前に、分散可能な物質１２が袋１０に充填される（図２に示す。）。一旦充填が済むと、第１および第２のサイドガセットパネル部分１８、２０が、第１および第２のパネル部分１４、１６の上端部間に適切に折り込まれる。フラップ５４を形成するためにヒートシールが適切に施される。すなわち、ヒートシールは、側縁５８、６０と、開口５６を挟んで上縁２６と略等しい距離にある上位置６２とにおいて施される。
【手続補正６】
【補正対象書類名】明細書
【補正対象項目名】００２５
【補正方法】変更
【補正の内容】
【００２５】
使用時には、袋１０の上部を開放し、分散可能な物質１２を図２に示すように袋内へと入れる。その後、第１および第２のガセットパネル部分１８、２０を上部近傍で折り込み、第１および第２のパネル部分１４、１６を１つに合わせ、前述のような適切なヒートシールを行って図１に示すようなフラップ５４を形成する。必要に応じて、宣伝または販売促進材料を袋に適用するかまたは関連付けることができる。袋はその後陳列され、やがては消費者に売られる。
【手続補正７】
【補正対象書類名】明細書
【補正対象項目名】００２７
【補正方法】変更
【補正の内容】
【００２７】
十分に分散させたら、袋を上下逆さまにひっくり返し、全ての開口が覆われるように、底ガセットパネル部分２２をその縁のうちの１つの縁から対向する縁へ向けて折り畳むかまたは巻く。テープ部分７０を第１のパネル部分１４から取り外す。その後、図６に示すように、テープ部分７０を、第１および第２のパネル部分１４、１６の一方と、底ガセットパネル部分２２かまたは第１および第２のパネル部分１４、１６の他方かのいずれかの一部とに固着する。
【手続補正８】
【補正対象書類名】明細書
【補正対象項目名】００２８
【補正方法】変更
【補正の内容】
【００２８】
第２の実施形態を図７および図８に示す。袋構造１００は、着脱可能なパネル層１０２を除いては袋構造１０と本質的に同じである。図３に示すように、着脱可能なパネル層６８は、分散前に完全に取り外すことができるように、４つの縁の全てにおいて剥離可能な接着材で貼付される。着脱可能なパネル層１０２は、１つの縁１０４においてヒートシール等の永久的な取付けによって貼付される。残りの縁１０６、１０８、１１０の貼付は、剥離可能な接着材による。